【事件の表示】
　特願２０１２−２３３２３９「携帯情報機器、電子ブック及び情報記憶媒体」拒絶査定不服審判事件〔平成２５年　３月２８日出願公開、特開２０１３−　５８２２４〕について、次のとおり審決する。
【結　論】
　本件審判の請求は、成り立たない。
【理　由】
第１　手続の経緯
　本願は、平成１０年１１月２５日に出願した特願平１０−３５０７２８号の一部を平成１９年５月１７日に新たな特許出願（特願２００７−１３２０００号）とし、さらにその一部を平成２１年９月２６日に新たな特許出願（特願２０１１−２０９３６３号）とし、さらにその一部を平成２４年１０月２２日に新たな特許出願としたものであって、２６年１月２９日付けで拒絶の理由が通知され、平成２６年４月７日付けで手続補正がなされたが、平成２６年９月２日付けで拒絶査定がなされたものである。これを不服として、平成２６年１２月１０日に本件審判請求がなされ、同時に手続補正がなされた。
　
第２　本願発明について
１．本願発明
　本願の請求項１−６０に係る発明は、平成２６年１２月１０日付けの手続補正により補正された特許請求の範囲の請求項１−６０の記載により特定されるものであるところ、その請求項１に係る発明（以下、「本願発明」という）は、次のとおりのものであると認める。
　
「ディスプレイとタッチパネルとカメラレンズとを備えた携帯情報機器であって、
　前記ディスプレイに録画を開始するための第１のボタンが表示され、
　前記第１のボタン上の前記タッチパネルにおける接触が検出されることにより、動画の撮影が開始され、前記第１のボタンから動画の撮影を中断するための第２のボタンに表示が切り替わり、
　次に、前記第２のボタン上の前記タッチパネルにおける接触が検出されることにより、前記動画の撮影が中断されること、
　を特徴とする携帯情報機器。」
　
２．刊行物１発明
　原査定の拒絶の理由で引用された本願の出願前に頒布された刊行物である特開平８−７７１９２号公報（以下、「刊行物１」という）には、図面とともに次の事項が記載されている。
　
「【００２４】
【実施例】
　以下、本発明の一実施例を図面に基づいて説明する。
【００２５】
　まず、図１〜１０を用いて、本発明の第１実施例である位置センサ付携帯コンピュータについて説明する。
【００２６】
　図１に、位置センサ付携帯コンピュータ１０の構成を示し、コンピュータ１０の外観イメージを図２に示す。図１および図２において、コンピュータ１０は、ＣＰＵ（中央処理装置）１１、メインメモリ１２、デイスク１３、デイスプレイ２、デイスプレイインターフェイス１５、タブレット１６、ペンインターフェイス１７、カメラ５、映像処理装置１８、マイク１９、スピーカ２０、音声処理装置２１、位置センサ１、通信装置１４を備え、各部がバス２４を介して接続されている。」
　
「【００２８】
　以下、各部の具体内容について説明する。
【００２９】
　ＣＰＵ１１は各種のテキストやグラフィック情報を生成し、生成した情報をデイスプレイインターフェイス１５を介してデイスプレイ２に描画するようになっている。デイスプレイ２の上には透明タブレット１６が重ねて一体化されている。ペン３を用いてタブレット１６上の画像を指定するときには、ペン３の位置がタブレット６によって検知され、ペン３の位置情報がＣＰＵ１１に転送されるようになっている。同様に、ペン３に付随するボタン４の押し下げ、開放もタブレット１６によって検知され、検知出力がＣＰＵ１１に転送されるようになっている。さらに、ユーザはペン３を用いて、文字や図形情報をコンピュータ１０に入力することができる。
【００３０】
　またコンピュータ１０には、周囲の状況を静止画像や動画像として記録するためのカメラ５が装備されている。このカメラ５は折り曲げが自在なフレキシブルアームによってコンピュータ本体に取り付けられており、このアームを適当に曲げることにより、周囲の映像を自在に撮影できる。カメラ５で撮影された映像を処理する映像処理装置１８は、ＣＰＵ１１からの指令に従ってカメラ５からの映像信号をアナログからデジタルに変換し、さらに、デジタル化された信号を圧縮し、適当なフォーマットの画像データとしてメインメモリ１２に記録する。さらに、映像処理装置１８は、ＣＰＵ１１からの指令に従って、メインメモリ１２内に記憶された圧縮画像データを伸長し、このデータに従った画像をデイスプレイインターフェイス１５を介してデイスプレイ２の画面上に表示するようになっている。」
　
「【００４７】
　アイコン４０が選択されると、カメラプログラムが起動され、デイスプレイ２には、図４に示すような表示形態になる。このときデイスプレイ２の主要部には、静止画像または動画像入力ツール６０が表示され、入力ツール６０の中央部の領域７９にはカメラ５により撮影された映像が表示される。即ち、この領域７９には、カメラ５で撮影中の映像またはメモリ１２に記憶されたデジタル画像データを再生した画像が表示される。領域７９の下方の表示部７７にはアイコン６９が選択されたときに位置情報が表示され、表示部７８には、アイコン６８が選択されたときに、現在の日時が表示されるようになっている。そして領域７９の映像がカメラ５が現在撮影中の映像である場合には、表示部７７には現在の位置情報が表示される。
【００４８】
　ここで、アイコン６１が選択されると、カメラ５のシャッタが作動し、カメラ５が撮影していた映像が静止画像としてメモリ１２に記憶され、その映像が領域７９に表示される。さらにアイコン６１が選択されたときには、静止画像データとともに、そのときの日時と、位置センサ１によって測定された位置情報が静止画像データと対応付けてメモリ１２に記録される。なお、アイコンまたはメニュー項目の選択はペン３の先を所望のアイコンまたはメニュー項目の上においてボタン４を開放することにより行なわれる。」
　
　以上の記載から次のことがいえる。
　
　刊行物１には、携帯コンピュータ１０（【００２５】）が記載され、該携帯コンピュータ１０は、ディスプレイ２と、ディスプレイ２の上に重ねて一体化された透明タブレット１６と、カメラ５とを備えている（【００２６】、【００２９】）。
　
　刊行物１に記載された携帯コンピュータ１０では、ディスプレイ２に開始／停止と表示されたアイコン６２（開始／停止アイコン６２）が表示される（【００４９】、【図４】）。
　
　刊行物１に記載された携帯コンピュータ１０では、ペンの先をアイコンの上におくことによりアイコン６２を選択すると、動画像データの記録が開始され、この後、再度アイコン６２を選択すると、動画像データの記録が終了する（【００４８】、【００４９】）。
　
　以上により、刊行物１には、次の発明（以下、「刊行物１発明」という）が記載されていると認められる。
　
［刊行物１発明］
　ディスプレイ２と、ディスプレイ２の上に重ねて一体化された透明タブレット１６と、カメラ５とを備えた携帯コンピュータ１０であって、
　前記ディスプレイ２に開始／停止アイコン６２が表示され、
　ペンの先をアイコンの上におくことによりアイコン６２を選択すると、動画像データの記録が開始され、
　この後、再度アイコン６２を選択すると、動画像データの記録が終了する、
　携帯コンピュータ。
　
３．対比
　本願発明と刊行物１発明とを対比する。
　
　刊行物１発明の「ディスプレイ２の上に重ねて一体化された透明タブレット１６」は、ディスプレイに表示されたアイコンの上にペンの先をおくことによりアイコンが選択し得るものであるから、本願発明の「タッチパネル」に相当する。
　刊行物１発明の「カメラ５」は、当然にレンズを備えているから、本願発明の「カメラレンズ」に相当する。
　刊行物１発明の「携帯コンピュータ１０」は「携帯情報機器」といえる。
　したがって、本願発明と刊行物１発明とは、「ディスプレイとタッチパネルとカメラレンズとを備えた携帯情報機器」である点で一致する。
　
　刊行物１発明のおける、ディスプレイに表示される「開始／停止アイコン６２」は、選択すると動画像データの記録が開始されるものであるから、本願発明の「録画を開始するための第１のボタン」に相当する。
　したがって、本願発明と刊行物１発明とは、「前記ディスプレイに録画を開始するための第１のボタンが表示され」るものである点で一致する。
　
　刊行物１発明では、「ペンの先をアイコンの上におくことによりアイコン６２を選択すると、動画像データの記録が開始され」る。
　ペン先をアイコンの上におくことによりアイコン６２が選択されるということは、アイコン６２上の透明タブレット１６におけるペン先の接触が検出されるということに他ならない（【００２９】も参照されたい）。
　したがって、本願発明と刊行物１発明とは、「前記第１のボタン上の前記タッチパネルにおける接触が検出されることにより、動画の撮影が開始され」るものである点で一致する。
　
　刊行物１発明では、「この後、再度アイコン６２を選択すると、動画像データの記録が終了する」。
　したがって、本願発明と刊行物１発明とは、「次に、前記タッチパネルにおける接触が検出されることにより、前記動画の撮影が中断される」ものである点では共通している。
　
　以上により、本願発明と刊行物１発明の一致点及び相違点は次のとおりである。
　
［一致点］
　ディスプレイとタッチパネルとカメラレンズとを備えた携帯情報機器であって、
　前記ディスプレイに録画を開始するための第１のボタンが表示され、
　前記第１のボタン上の前記タッチパネルにおける接触が検出されることにより、動画の撮影が開始され、
　次に、前記タッチパネルにおける接触が検出されることにより、前記動画の撮影が中断されること、
　を特徴とする携帯情報機器。
　
［相違点］
　本願発明は、「前記第１のボタン上の前記タッチパネルにおける接触が検出されることにより、動画の撮影が開始され、前記第１のボタンから動画の撮影を中断するための第２のボタンに表示が切り替わり、次に、前記第２のボタン上の前記タッチパネルにおける接触が検出されることにより、前記動画の撮影が中断される」ものであるのに対し、刊行物１発明は、「前記第１のボタン上の前記タッチパネルにおける接触が検出されることにより、動画の撮影が開始され」、「次に、前記タッチパネルにおける接触が検出されることにより、前記動画の撮影が中断される」ものとはいえるものの、撮影が開始されたときに「前記第１のボタンから動画の撮影を中断するための第２のボタンに表示が切り替わ」るものではなく、「次に、前記第２のボタン上の前記タッチパネルにおける接触が検出されることにより、前記動画の撮影が中断される」ものではない点。
　
４．当審の判断
　相違点について検討する。
　
　刊行物１発明は、動画の撮影を行うものであり、「開始／停止アイコン６２」を、一度、選択すると動画の撮影が開始され、再度、選択すると動画の撮影が中止されるものである。
　そのような動画の撮影を行う情報機器においては、機器が、現在、撮影中であるか否かの状態がすぐに分かるように、撮影が開始された後には撮影中を示す表示を、撮影が停止された後には撮影中でないことを示す表示をすることは普通に行われることであって、動画の撮影を行う情報機器である刊行物１発明においてもそのような表示を行うことは当業者が想定し得ることである。
　一方、表示されたアイコンのタッチ操作により機器の状態を選択するものにおいて、現在の機器の状態がすぐ分かるように、現在の機器の状態に応じてアイコンの表示を切り替えることは周知の技術（これを示す文献については下記の（＊）を参照されたい）である。
　そして、「開始／停止アイコン６２」により機器の状態（撮影中か否か）を切り替える刊行物１発明において、機器が、現在、撮影中であるか否かの状態がすぐに分かるようにその旨の表示を行おうとする場合に、上記周知技術が有用かつ採用可能であることは当業者に明らかである。
　したがって、刊行物１発明に上記周知技術を適用して、アイコンの表示を、撮影が開始された後には撮影中を示す表示、撮影が停止された後には撮影中でないことを示す表示とすることは、当業者が容易に想到し得ることである。
　そして、このようにすることは、刊行物１発明において、「前記第１のボタン上の前記タッチパネルにおける接触が検出されることにより、動画の撮影が開始され、前記第１のボタンから動画の撮影を中断するための第２のボタンに表示が切り替わり、次に、前記第２のボタン上の前記タッチパネルにおける接触が検出されることにより、前記動画の撮影が中断される」ようにすることに他ならない。
　
　よって、本願発明は、刊行物１に記載された発明及び周知技術に基づいて当業者が容易に発明をすることができたものである。また、容易に想到し得た構成が奏する効果も当業者が予測し得るものである。
　
（＊）表示されたアイコンのタッチ操作により機器の状態を選択するものにおいて、現在の機器の状態がすぐ分かるように、現在の機器の状態に応じてアイコンの表示を切り替えることが周知の技術であることを示す文献例
　
・特開平１０−２２４７２９号公報
　電子カメラにおいて、「モニタの表示例を示す図」として【図５】（ａ）には、「録画が行われていない状態」の図が、【図５】（ｂ）には、「録画が開始された時点の状態」の図が記載されている。
　【図５】（ａ）の「録画が行われていない状態」では、録画ボタンのアイコンは白で、【図５】（ｂ）の「録画が開始された時点の状態」では、録画ボタンのアイコンは黒の斜線で表示されている。
　
・特開平８−１１２２５８号公報
　【００３０】−【００３１】には、【図３】とともに、タッチパネルに表示されたスタート／ストップ選択スイッチ５１に関して次のように記載されている。
「【００３０】
　図３に示す初期設定画面３９のうち、スタート／ストップ連動機能設定ブロック４５には、スタート／ストップ選択スイッチ５１及び機能選択スイッチ５２が設定されている。このスタート／ストップ選択スイッチ５１は、スタート時の機能設定かストップ時の機能設定かを選択するスイッチである。現在（図示例）の画面は、スタート時の機能設定が選択されている。機能選択スイッチ５２ａ〜５２ｅは、各種機能を設定するためのスイッチであり、スタート／ストップ選択スイッチ５１がスタート側になっているので、スタート時の各機能を選択設定することになる。
【００３１】
　一方、ストップ時の機能はスタート／ストップ選択スイッチ５１を再度押し、スイッチ上の表示をストップ側にしてから同様に機能を選択する。」
　
・Catherine Plaisant, Daniel Wallace，TOUCHSCREEN TOGGLE DESIGN，CHI '92 Proceedings of the SIGCHI Conference on Human Factors in Computing Systems，米国，Association for Computing Machinery Press，１９９２年５月７日，1992(CHI '92)，Pages.667-668，(ISBN:0-89791-513-5)
　第６６８頁左欄８〜３２行には、Fig 2とともに、次のように記載されている。
「・One-button toggle(Pushbutton): The main problem with pushbuttons is that their identification as a toggle (and not a simple indicator) might not be obvious; users may not realize that they can change the state by touching it. Once recognized as a toggle the pushbutton has the advantage of being graphically simple and unclutterd and its size can be reduced if necessary.」
　
・Catherine Plaisant, Daniel Wallace，Touchscreen toggle switches: push or slide? Design issues and usability study，Tech Report HCIL (HCIL-90-08,CS-TR-2557,CAR-TR-521)，米国，University of Maryland, Human-Computer Interaction，１９９０年１１月３０日，HCIL-90-08，Pages.1-10
　第４頁には、図面とともに、次のように記載されている。
「One-button toggle(Pushbutton): The state is shown by label and color only. When the device is ON the pushbutton shows a label ON in black letters on a bright buttercup yellow background (as if lighted). When users touch the buttern the background color darkens and the state changes to OFF when the finger is released. The OFF label is in gray letters on dark gray background. When the device is switched to OFF a low pich click is prodused(respectiveely a high pitch click when turned ON).
 The main problem with pushbuttons is that their identification as a toggle (and not a simple indicator) might not be obvious for all users: They may not realize that they can change the state by touching it. Once recognized as a toggle the pushbutton has the advantage of being graphically simple and unclutterd and its size can be reduced if necessary.」
　
第３　むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。